【事件の表示】
　特願２００３−３１０５５５号「圧接コネクタ」拒絶査定不服審判事件〔平成１７年３月２４日出願公開、特開２００５−７９０２２号〕について、次のとおり審決する。
【結　論】
　本件審判の請求は、成り立たない。
【理　由】
１．手続の経緯・本願発明
　本願は、平成１５年９月２日の出願であって、平成２０年２月１４日付けで拒絶査定がなされ、これに対し、平成２０年３月２１日に拒絶査定不服審判の請求がなされたものであって、その請求項１に係る発明は、平成２０年４月１７日付け手続補正書により補正された明細書、特許請求の範囲及び図面の記載からみて、その特許請求の範囲の請求項１に記載された事項により特定される次のとおりのものである（以下、「本願発明」という）。
　
「複数の端子を収容する第１部材と、
　前記各端子に接続されて前記第１部材の表面から突出する複数の圧接刃と、
　前記各圧接刃を覆うように前記第１部材に取付けられる第２部材とを有する圧接コネクタであって、
　前記第２部材の一方の端辺側に沿って全長にわたり前記電線を押える電線押さえ軸を設け、
　前記第１部材が、前記第２部材を取付けた際に前記電線押さえ軸に対応する位置に前記電線押さえ軸を着脱自在かつ回転自在に支承する軸支承部を設けたことを特徴とする圧接コネクタ。」
　
２．引用例の記載事項
　これに対して、原査定の拒絶の理由で引用した、実願昭５９−１２０６０８号（実開昭６１−３５３６９号）のマイクロフイルム（以下、「引用例１」という）には、次の事項が図面とともに記載されている。
　ア　「第１図は本考案の圧接コネクタＡをハウジングＢとカバーＣとに分離して示した斜視図、第２図はハウジングＢにカバーＣを第１図矢線ｌ方向に嵌合装着した状態を示す斜視図、第３図は圧接端子を挿着したハウジングＢにカバーＣを被着した状態を示す縦断面図を示す。
　これらの図において、本考案の圧接コネクタＡを構成するハウジングＢは、両側壁１の間に複数個の圧接端子Ｔの収容室２が底壁７から立設された複数個の仕切壁３を介して区劃形成されて構成される。」（明細書４ページ８行〜１８行）
　イ　「次にカバーＣは以下のように構成される。・・・・・・蓋体１１の後端部寄りの前記ハウジングＢの仕切壁３の後端縁に穿設された溝５に対応する位置にクランプ軸１４を設けるとともに、クランプ軸１４に隣接して前記仕切壁３間の端子収容室２に対応する位置に電線押え突起１５が突設される。」（明細書５ページ１４行〜６ページ１行）
　ウ　「先ず、第３図に示すように前部に電気接触部２０、その後方に電線圧接部２１、さらにその後方に電線圧着部２２、後端部に張力吸収板を夫々設けて成る圧接端子Ｔ（図示では雌端子）に電線Ｗを圧接並びに圧着したのち、ハウジングＢの端子収容室２内に後方（第３図右方）より挿着する。
　次いで第１図に示すように、ハウジングＢの後端からカバーＣを後端部のロックアーム１２で立ち上げた状態で矢線ｌ方向に挿入し、ロックアーム１２の係止溝１３をハウジング側壁１の突起４に係合させると共に、カバーＣのクランプ軸１４を仕切り壁３の溝５に係合させ、第２図に示す状態とする。
　次にカバーＣの前部を矢線ｍ方向に押圧して、カバーＣをクランプ軸を支点としてハウジングＢの上面に回動させる。・・・・・・ハウジングＢに対するカバーＣの組立て及び嵌合ロックは完了する。
　この場合、カバーＣの後部の電線押え突起１５はハウジングＢの端子収容室に挿着された電線Ｗを圧接端子の張力吸収板２３の後方で押圧し、又、前部の電線押え突起１７は電線Ｗをその前端部において押圧する。」（明細書６ページ１７行〜８ページ５行）
　
　そして、第１図には、複数個の圧接端子Ｔの収容室２を両側壁１及び複数の仕切壁３の間に形成したハウジングＢと、仕切壁３に形成された溝５に対応する位置に設けた複数のクランプ軸１４と、収容室２内の電線Ｗに対応する位置に設けた複数の電線押え突起１５とを持つカバーＣとが分離した状態の圧接コネクタＡが示されている。
　また、第２図には、ハウジングＢにカバーＣを嵌合装着した状態が示され、第３図には、圧接端子Ｔを装着したハウジングＢに、カバーＣをクランプ軸１４を支点として回動させ、嵌合ロックした状態の縦断面図が示されている。
　ここで、電線押え突起１５の底部の後部は、クランプ軸１４の右下１／４周面部分と共通の外形形状となっており、底部の前部は、クランプ軸１４の下端部より接線方向左側に水平に延びた後、上方に湾曲した形状に形成されており、電線押え突起１５は、かかる形状の底部によって電線Ｗを押さえていることが、第３図より明らかである。
　また、第３図には、収容室に収容された圧接端子Ｔが示されており、圧接端子Ｔは、ハウジングＢの表面から上方へ突出した電線圧接部２１を備えていることが示されているとともに、電線圧接部２１はカバーＣにより覆われていることが示されている。
　
　上記記載について検討すると、記載アには、ハウジングＢとカバーＣとを有する圧接コネクタＡが記載され、また、複数個の圧接端子Ｔを収容する収容室２を備えたハウジングＢが記載されている。
　記載イには、ハウジングＢの複数の仕切壁３の後端縁に穿設された溝５に対応する、蓋体１１の後端部寄りの複数の位置に、クランプ軸１４を設けるとともに、クランプ軸１４に隣接して前記仕切壁３間の端子収容室２に対応する複数の位置に電線押え突起１５を備えたカバーＣが記載されている。そして、第１図を参酌すると、この複数のクランプ軸１４と複数の電線押え突起１５とからなる構造体（以下、便宜上「支持押圧構造体」と呼ぶ）は、カバーＣを構成する蓋体１１の後端部寄りに、複数の収容室に対応して、その全幅にわたって設けられていると認められる。なお、カバーＣの後端部両側にはカバーＣをハウジングＢにロックするためのロックアーム１２が突出しているが、この部分は蓋体１１の幅に含めない。
　記載ウ及び第３図には、ハウジングＢの表面から上方へ突出した電線圧接部２１を備えた圧接端子Ｔが記載されており、また、電線押え突起１５が電線Ｗを押圧することが記載されている。さらに、記載ウ及び第１図ないし第３図には、ハウジングＢに対してカバーＣを装着する態様について記載されており、カバーＣの支持押圧構造体のクランプ軸１４を仕切り壁３の溝５に係合させ、支持押圧構造体のクランプ軸１４を支点としてカバーＣをハウジングＢの上面に回動させ、ハウジングＢに対するカバーＣの組立て及び嵌合ロックをすることが記載されている。このことより、ハウジングＢの溝５は、支持押圧構造体のクランプ軸１４を着脱自在かつ回転自在に支持しているといえる。なお、嵌合ロックした状態で、カバーＣは電線圧接部２１を覆うようにハウジングＢに取り付けられていることは、第３図より明らかである。
　
　上記記載事項及び図示内容を総合し、本願発明の記載ぶりに則って整理すると、引用例１には次の発明（以下、「引用発明」という）が記載されている。
「複数の圧接端子Ｔを収容するハウジングＢと、
　前記各圧接端子Ｔに備えられハウジングＢの表面から突出する電線圧接部２１と、
　前記電線圧接部２１を覆うように前記ハウジングＢに取付けられるカバーＣとを有する圧接コネクタＡであって、
　前記カバーＣの後端部寄りにその全幅にわたって電線押え突起１５で電線Ｗを押圧する支持押圧構造体を設け、
　前記ハウジングＢが、前記カバーＣを取付けた際に前記支持押圧構造体のクランプ軸１４に対応する位置に前記支持押圧構造体を着脱自在且つ回動自在に支持する溝５を設けた圧接コネクタＡ。」
　
　また、同じく原査定の拒絶の理由で引用した、特開平７−６８０１号公報（以下、「引用例２」という）には、概略、ハウジング本体６にハウジング本体カバー７を介して蓋部８を回転自在に取り付けた圧接コネクタ１が記載されており、蓋部８に電線押圧部１０が設けられることが記載されている（【請求項１】等参照）。ここで、電線押圧部１０について、段落【００１８】には、「前記ハウジング本体６の電線支持部５に対応する位置に電線押圧部１０が設けてある。該電線押圧部１０は先端が半円形をした凸状に形成されており、前記蓋部８の横方向に連接されている」と記載されている。
　したがって、引用例２には、圧接コネクタの電線押圧部の電線に接する先端部分を断面半円形状に形成することが記載されているといえる。
　
３．対比
　そこで、本願発明と引用発明とを対比すると、各文言の意味、機能または作用等からみて、引用発明の「圧接端子Ｔ」は、本願発明の「端子」に相当し、同様に、「ハウジングＢ」は「第１部材」に、「カバーＣ」は「第２部材」に、「圧接コネクタＡ」は「圧接コネクタ」に、それぞれ相当する。
　また、引用発明の、前記各圧接端子Ｔに備えられハウジングＢの表面から突出する「電線圧接部２１」と、本願発明の、前記各端子に接続されて前記第１部材の表面から突出する複数の「圧接刃」とは、電線を圧接するための「圧接手段」である点で共通する。
　そして、引用発明の「前記カバーＣの後端部寄りにその全幅にわたって電線押え突起１５で電線Ｗを押圧する支持押圧構造体」について検討すると、上述のように引用発明の「カバーＣ」が本願発明の「第２部材」に相当し、同様に「電線Ｗ」は「電線」に相当し、「カバーＣの後端部寄りにその全幅にわたって」は実質的に「第２部材の一方の端辺側に沿って全長にわたり」に相当することから、引用発明の「支持押圧構造体」と、本願発明の「電線押さえ軸」とは、第２部材の一方の端辺側に沿って全長にわたり電線を押圧する「支持押圧体」である点で共通する。
　なお、引用発明の認定に当たって、支持押圧構造体の配置について、カバーＣの後端部両側に突出したロックアーム１２をカバーＣ（蓋体１１）の幅に含めずに、支持押圧構造体が「前記カバーＣの後端部寄りにその全幅にわたって」設けられると認定したが、これは、本願にあっても、図８や図９に示されるような実施例で、第２部材である蓋部３０の両側に形成された係止爪３５や係止部５７を蓋部の幅（長さ）に含めないで、電線押え軸３１が第２部材の全長にわたり設けられているとしていることに対応させて認定したものである。
　また、引用発明の「前記カバーＣを取付けた際に前記支持押圧構造体のクランプ軸１４に対応する位置に前記支持押圧構造体を着脱自在且つ回動自在に支持する」「溝５」は、本願発明の「前記第２部材を取付けた際に前記電線押さえ軸に対応する位置に前記電線押さえ軸を着脱自在かつ回転自在に支承する」「軸支承部」に相当する。
　
　したがって、両者は、本願発明の用語を用いて表現すると、次の点で一致する。
（一致点）
「複数の端子を収容する第１部材と、
　前記各端子に接続されて前記第１部材の表面から突出する圧接手段と、
　前記各圧接手段を覆うように前記第１部材に取付けられる第２部材とを有する圧接コネクタであって、
　前記第２部材の一方の端辺側に沿って全長にわたり前記電線を押える支持押圧体を設け、
　前記第１部材が、前記第２部材を取付けた際に前記支持押圧体に対応する位置に前記支持押圧体を着脱自在かつ回転自在に支承する軸支承部を設けた圧接コネクタ。」
　
　そして、両者は、次の点で相違する。
（相違点ａ）
　本願発明の圧接手段は、複数の圧接刃であるのに対し、引用発明の圧接手段は、電線圧接部２１であるが、その構造が明らかでない点。
　
（相違点ｂ）
　本願発明の支持押圧体は、電線押さえ軸であり、電線押さえ軸が電線を押え、電線押さえ軸が軸支承部に支承されるのに対し、引用発明の支持押圧体は、支持押圧構造体であり、支持押圧構造体の電線押え突起が電線を押え、支持押圧構造体のクランプ軸が軸支承部に支承される点。
　
４．判断
　上記相違点について検討する。
（相違点ａについて）
　一般に、圧接端子の圧接手段を、複数の圧接刃で構成したものは、以下例示するように周知であるので、引用発明の電線圧接部２１に、かかる周知技術を適用して、電線圧接部２１を複数の圧接刃で構成し、相違点ａに係る本願発明の発明特定事項のようにすることは、当業者が適宜なし得た程度の事項にすぎない。
　すなわち、例えば、引用例１の第４図（ａ）に従来技術として示された圧接端子Ｔ’は、その圧接部ｂに電線Ｗに噛合する２つの圧接刃を備えている。また、例えば、特開平７−２１１３６１号公報（圧接端子の圧接刃５３ｂ参照）、特開平１１−１８５８４１号公報（無線接続用端子１０の圧接刃１３ｇ，１３ｈ参照）、特開平１１−３２９５４５号公報（雄型端子１０の圧接刃１７参照）には、複数の圧接刃を備えた端子が示されている。
　
（相違点ｂについて）
　引用例１の第３図に示されるように、引用発明の支持押圧構造体の、電線を押さえる部分である電線押え突起の底部形状は、その後部がクランプ軸の右下１／４周面部分と共通の外形形状を有すると共に、その前部は、クランプ軸１４の下端部より接線方向左側に水平に延びた後、上方に湾曲した形状に形成されている（なお、電線押え突起の上部は、蓋体１１に接続しており、本願明細書でいう電線押さえ軸支持のためのブラケット３２に相当するクランプ軸支持のための構造となっている）。
　一方、引用例２には、圧接コネクタの電線押圧部の電線に接する先端部分を断面半円形状に形成することが記載されており、電線を押さえるためには格別水平に延びた部分を形成する必要のないことが示されている。
　そこで、引用例２のかかる技術事項を引用発明に適用し、電線押え突起の底部形状を、クランプ軸の下半周部分と共通した断面半円形状とし、実質的にクランプ軸形状の部分が第２部材に相当するカバーＣの一方の端辺側に沿って全長にわたり設けられるようにして、相違点ｂに係る本願発明の発明特定事項のようにすることは、当業者が容易に想到し得たことである。
　
　そして、本願発明による効果も、引用発明及び引用例２に記載された技術事項並びに周知技術から当業者が予測し得た程度のものであって、格別のものとはいえない。
　
５．むすび
　したがって、本願発明は、引用発明及び引用例２に記載された技術事項並びに周知技術に基づいて、当業者が容易に発明をすることができたものであるので、特許法第２９条第２項の規定により、特許を受けることができない。
　よって、結論のとおり審決する。